(57)【特許請求の範囲】
【請求項１】
炉心状態や操作時間帯、前回操作内容等の複数の監視条件毎に操作実績および操作に付随するパラメータの設定実績を分類し、重み付けを行うための情報である監視分類別状態区分条件データと、前記監視分類別状態区分条件データに従って、前記操作実績および操作に付随するパラメータの設定実績を分類して監視分類別操作実績情報として記録するための監視分類別操作実績情報記録手段と、前記監視分類別操作実績情報から複数の前記監視分類別状態区分条件データに従って前記監視条件と一致する操作実績情報を抽出する監視分類別操作実績抽出手段と、前記抽出した監視分類別の操作実績情報に重み付けを加え、前記重み付けに従って次に実施すべき操作を並び替える次操作候補メニューを編集する次操作候補編集手段と、編集した次操作候補メニューを表示するための表示手段を有することを特徴とする原子炉炉心性能監視装置。
【請求項２】
請求項１において、前記監視分類別操作実績抽出手段によって前記抽出した監視分類別の操作実績情報のうち、前記パラメータの設定実績情報に重み付けを加え、前記重み付けに従って次に実施すべき操作に必要なパラメータのリストを並び替えるパラメータ候補リストを編集するパラメータ候補リスト編集手段と、前記編集したパラメータ候補リストを表示するための表示手段を有することを特徴とする原子炉炉心性能監視装置。
【請求項３】
請求項１において、前記監視分類別操作実績抽出手段によって前記抽出した監視分類別の操作実績情報のうち、前記パラメータの設定実績情報に重み付けを加え、前記重み付けに従って次に実施すべき操作に必要なパラメータを最も重要度の高い値に自動的に設定するためのパラメータ自動設定データを編集するパラメータ自動設定情報編集手段と、前記編集したパラメータ自動設定データを表示するための表示手段を有することを特徴とする原子炉炉心性能監視装置。
【請求項４】
請求項１において、前記操作に付随するパラメータの設定情報が炉心最大線出力密度の発生座標のパラメータパターン情報に該当するかどうかを判別するためのパラメータ解析条件データと、前記パラメータ解析条件データに従って前記パラメータの設定情報を解析して記録するパラメータ解析手段を有することを特徴とする原子炉炉心性能監視装置。
【発明の詳細な説明】
【０００１】
【発明の属する技術分野】
本発明は、原子炉炉心性能監視装置に係り、特に、炉心状態や操作時間帯、前回操作内容等の変化に追従した次操作候補メニューおよびパラメータ候補リストを表示し、また、パラメータ自動設定処理を実行する技術に関する。
【０００２】
【従来の技術】
従来の原子炉炉心性能監視装置では、操作を実行する場合、操作毎に予め作成された操作受付ボタンを選択するか、あるいは、プルダウンメニューにおいて表示されたリスト上から該当操作名を選択する等の方法が一般的に採用されている。操作受付ボタンによる場合は、１つまたは複数の操作受付ボタンを集めた操作受付用のメニュー画面を予め用意しておくのが常套的な方法であり、各ボタンの内容やレイアウト等は固定である。また、プルダウンメニューによる場合も、操作名称のリストは予め作成されており、リストの内容や順序等は固定である。
また、操作に付随するパラメータの設定については、プルダウンメニューによる場合、プルダウンメニュー等において表示されたリスト上から該当パラメータ名を選択する等の操作が必要な場合がある。この際、プルダウンメニューで表示されるパラメータ名のリストは予め作成されており、リストの内容や順序は固定である。また、操作受付ボタンによる場合、オペレータがボタン選択等を行うことによる設定操作が必要な場合がある。この際、設定操作前のボタンの選択状態等は、予め用意しておいたパターンを設定するか、あるいは、前回操作時と同じ内容を自動的に設定することが行われている。また、例えば座標を設定する場合、”Ｘ１−Ｙ１”というような直接的な値を設定する必要がある。一方、例えば”炉心最大線出力密度の発生座標”のような間接的な値をパラメータとして設定することがしばしば行われるが、このような場合には、操作実施時点の”炉心最大線出力密度の発生座標”の直接的な値を前もって調べておく必要がある。
【０００３】
【発明が解決しようとする課題】
一般的に原子炉炉心性能監視においては、炉心状態や操作時間帯、前回操作内容等により監視対象項目が切り替わり、実行すべき操作が変わるケースがある。しかし、従来の技術では、操作を実行するための操作受付ボタンを配置した操作受付用のメニュー画面、あるいは、操作名をリストアップしたプルダウンメニューは、その内容が固定情報であるため、監視対象項目の切り替わりには対応できない。
また、操作に付随するパラメータの設定については、前記と同様に、炉心状態や操作時間帯、前回操作内容等により監視対象項目が切り替わり、設定すべき内容が変わるケースがある。しかし、従来の技術では、プルダウンメニュー等でパラメータの設定を行う場合、パターン名をリストアップしたプルダウンメニューはその内容が固定情報であるため、監視対象項目の切り替わりには対応できない。また、操作受付ボタンによる場合、オペレータがボタン選択等を行うことによる設定操作が必要な場合があるが、従来の技術では、設定操作前のボタンの選択状態等は予め用意しておいたパターンを設定するか、もしくは、前回操作時と同じ内容を自動的に設定することが行われているだけであり、監視対象項目の切り替わりには対応できない。また、例えば〃炉心最大線出力密度の発生座標〃のような間接的な値をパラメータとして設定する場合、従来の技術では、間接的な値でのパラメータ設定ができず、このような場合には、操作実施時点の〃炉心最大線出力密度の発生座標〃の直接的な値を前もって調べておき、その値をパラメータとして設定する必要がある。
【０００４】
本発明の課題は、炉心状態や操作時間帯、前回操作内容等により監視対象項目が切り替わり、実行すべき操作が変わるケースに対応して次に実行すべき操作を表示するに好適な原子炉炉心性能監視装置を提供することにある。
また、本発明の他の課題は、炉心状態や操作時間帯、前回操作内容等により監視対象項目が切り替わり、操作に付随するパラメータの設定すべき内容が変わるケースに対応して次に実行すべき操作に必要なパラメータを表示する好適な原子炉炉心性能監視装置を提供することにある。
また、本発明の他の課題は、炉心状態や操作時間帯、前回操作内容等により監視対象項目が切り替わり、操作に付随するパラメータの設定すべき内容が変わるケースに対応して次に実行すべき操作に必要なパラメータを自動的に設定するに好適な原子炉炉心性能監視装置を提供することにある。
【０００５】
【課題を解決するための手段】
上記課題を解決するために、炉心状態や操作時間帯、前回操作内容等の複数の監視条件毎に操作実績および操作に付随するパラメータの設定実績を分類し、重み付けを行うための情報である監視分類別状態区分条件データと、監視分類別状態区分条件データに従って、操作実績および操作に付随するパラメータの設定実績を分類して監視分類別操作実績情報として記録するための監視分類別操作実績情報記録手段と、監視分類別操作実績情報から複数の監視分類別状態区分条件データに従って監視条件と一致する操作実績情報を抽出する監視分類別操作実績抽出手段と、抽出した監視分類別の操作実績情報に重み付けを加え、重み付けに従って次に実施すべき操作を並び替える次操作候補メニューを編集する次操作候補編集手段と、編集した次操作候補メニューを表示するための表示手段を設ける。  また、上記他の課題を達成するため、上記の手段に加え、監視分類別操作実績抽出手段によって抽出した監視分類別の操作実績情報のうち、パラメータ設定実績情報に重み付けを加え、重み付けに従って次に実施すべき操作に必要なパラメータのリストを並び替えるパラメータ候補リストを編集するパラメータ候補リスト編集手段と、編集したパラメータ候補リストを表示するための表示手段を設ける。
また、上記他の課題を達成するため、上記の手段に加え、監視分類別操作実績抽出手段によって抽出した監視分類別の操作実績情報のうち、パラメータ設定実績情報に重み付けを加え、重み付けに従って次に実施すべき操作に必要なパラメータを最も重要度の高い値に自動的に設定するためのパラメータ自動設定データを編集するパラメータ自動設定情報編集手段と、編集したパラメータ自動設定データを表示するための表示手段を設けている。
ここで、操作に付随するパラメータの設定について、操作に付随するパラメータ設定情報が”炉心最大線出力密度の発生座標”のパラメータパターン情報に該当するかどうかを判別するためのパラメータ解析条件データと、パラメータ解析条件データに従ってパラメータ設定情報を解析して記録するパラメータ解析手段を設ける。
【０００６】
監視分類別操作実績情報記録手段によれば、監視分類別操作実績情報は、監視分類別に操作名称、監視分類別内の条件区分および操作の実施頻度を１組として記録される。また、監視分類別状態区分条件データには、監視分類別および監視分類別内の条件区分毎に重み付け係数を設定することができる。この監視分類別および監視分類別内の条件区分別の実施頻度および重み付け係数により、次操作候補各々の重要度が得られ、この重要度の順に次操作候補を並び替えることによって、炉心状態や操作時間帯、前回操作内容等により監視対象項目が切り替わり、実行すべき操作が変わるケースに対応した次操作候補メニューを提供することが可能となる。
また、操作に付随するパラメータの設定において、前記と同様に、監視分類別および監視分類別内の条件区分別の設定頻度および重み付け係数により、パラメータ候補各々の重要度が得られ、この重要度の順にパラメータ候補を並び替えることによって、炉心状態や操作時間帯、前回操作内容等により監視対象項目が切り替わり、実行すべき操作が変わるケースに対応したパラメータ候補リストを提供することが可能となる。
また、操作に付随するパラメータの設定において、前記と同様に、監視分類別および監視分類別内の条件区分別の設定頻度および重み付け係数により、パラメータ候補各々の重要度が得られ、この重要度の最も高い値にパラメータを自動的に設定することによって、炉心状態や操作時間帯、前回操作内容等により監視対象項目が切り替わり、実行すべき操作が変わるケースに対応したパラメータの自動設定が可能となる。
また、パラメータ解析手段では、操作に付随するパラメータ設定情報がパラメータ解析条件データに該当するかどうかを調査し、該当するものはその設定頻度が更新されるようになっている。例えば、パラメータ解析条件データに”炉心最大線出力密度の発生座標”なる判定条件があり、パラメータ設定情報の”Ｘ１−Ｙ１”が”炉心最大線出力密度の発生座標”なる判定条件と合致した場合、座標”Ｘ１−Ｙ１”に加え、”炉心最大線出力密度の発生座標”もパラメータ設定情報に加えられ、設定頻度が更新される。これに追従して、両者の重要度が上がるため、次操作のためのパラメータ候補リストの上位に”炉心最大線出力密度の発生座標”がリストアップされる可能性が高くなる。また、”炉心最大線出力密度の発生座標”というような間接的なパラメータをリストアップすることにより、仮に”炉心最大線出力密度の発生座標”が変化した場合でも、その直接的な座標を調査することなく、確実かつ容易に”炉心最大線出力密度の発生座標”をパラメータ設定することが可能になる。
【０００７】
【発明の実施の形態】
以下、本発明の実施形態を図面を用いて説明する。
図１は、本発明の一実施形態を示す原子炉炉心状態監視装置の処理構成図である。オペレータは、入力装置１から演算機能や画面表示機能等の要求を行う。実施操作情報および設定パラメータ情報は、実施操作／設定パラメータ情報格納バッファ２に格納される。パラメータ解析手段３は、実施操作／設定パラメータ情報格納バッファ２の設定パラメータ情報をパラメータ解析条件データ４に従って解析し、その結果をパラメータ解析結果格納バッファ５に格納する。
監視分類別操作実績情報記録手段６は、実施操作／設定パラメータ情報格納バッファ２の実施操作情報と、パラメータ解析結果格納バッファ５のパラメータ解析結果を監視分類別状態区分条件データ７に従って複数の監視分類別に設けられた監視分類別操作実績情報８ａ〜８ｎに格納する。格納する内容は、操作実績情報とパラメータ設定実績情報であり、各々操作実施時点の状態区分情報と、状態区分情報毎の操作の実施頻度、選択肢の選択頻度あるいはパラメータパターンの設定頻度である。操作実施時点の状態区分情報を求める際、炉心パラメータ値データ９、直前操作情報１０、内部時計データ１１の値が参照される。
ここで、監視分類とは、”炉心状態”、”操作時間帯”、”サイクル内運転段階”、”前回操作内容”等の分類を指す。また、状態区分とは、例えば”操作時間帯”なる監視分類において、”０時〜３時：区分１”、”３時〜６時：区分２”、……というような区分のことであり、状態区分条件は、各状態区分の該当条件のことを指し、状態区分情報とは、状態区分の番号のことを指す。
監視分類別操作実績情報抽出手段１２は、監視分類別状態区分条件データ７に従い、複数の監視分類毎に操作実施時点の状態が該当する状態区分情報を求め、監視分類別操作実績情報８ａ〜８ｎから状態区分情報が一致する全ての操作の実施頻度およびパラメータパターンの設定頻度を抽出し、頻度に重み付け係数を乗じて求めた重要度を操作実績抽出結果バッファ１３に格納する。また、操作毎の操作の実施頻度と選択肢の選択頻度から選択肢の相対選択頻度を求め、操作実績抽出結果バッファ１３に格納する。操作実施時点の状態区分情報を求める際、炉心パラメータ値データ９、直前操作情報１０、内部時計データ１１の値が参照される。また、重要度を求める際に用いる重み付け係数には、状態区分別重み付け係数と監視分類別重み付け係数の２種類があり、いずれも監視分類別状態区分条件データ７で定義されている。
【０００８】
次操作候補編集手段１４は、操作実績抽出結果バッファ１３の監視分類別の重要度を操作情報毎にまとめて各々の重要度を算出する。その後、重要度順に操作情報を並び替えたリストを作成し、次操作候補リストバッファ１５に格納する。次操作候補リストバッファ１５に格納された内容は、表示手段２０によって次操作候補メニューとしてモニタ２１に表示される。
【０００９】
パラメータ候補リスト編集手段１６は、操作実績抽出結果バッファ１３の監視分類別の重要度をパラメータパターン毎にまとめて各々の重要度を算出する。その後、重要度順にパラメータパターンを並び替えたリストを作成し、パラメータ候補リストバッファ１７に格納する。パラメータ候補リストバッファ１７に格納された内容は、表示手段２０によってパラメータ候補リストとしてモニタ２１に表示される。
【００１０】
パラメータ自動設定情報編集手段１８は、操作実績抽出結果バッファ１３の監視分類別の重要度と操作毎の選択肢の相対選択頻度からパラメータ解析条件データ４の操作毎の選択肢情報に従って選択肢毎の重要度を求め、パラメータ自動設定データバッファ１９に格納する。パラメータ自動設定データバッファ１９に格納された内容は、表示手段２０によってパラメータ設定画面の自動設定パターンとしてモニタ２１に表示される。
【００１１】
図２は、パラメータ解析手段３の処理内容を示す。
まず、実施操作／設定パラメータ情報格納バッファ２より設定パラメータ情報を読み込む（Ｓ００１）。次に、パラメータ解析条件データ４の操作毎の選択肢情報（図３のＥ００１）の中に操作名と画面側ＩＤがともに一致するものが存在するかどうかを検索し（Ｓ００２）、存在する場合には、その操作名と選択肢Ｎｏを対にしてパラメータ解析結果格納バッファ５に格納する（Ｓ００３）。Ｓ００２、Ｓ００３の処理は、設定パラメータ情報のうちの選択肢情報の全てについて実施する（Ｓ００４）。
引き続き、パラメータ解析条件データ４のパラメータパターン情報（図３のＥ００２）の中にパラメータ種別と判定条件がともに一致するものが存在するかどうかを検索し（Ｓ００５）、存在する場合には、そのパラメータパターン名をパラメータ解析結果格納バッファ５に格納する（Ｓ００６）。Ｓ００５、Ｓ００６の処理は、パラメータパターン情報の全パターンについて実施する（Ｓ００７）。さらに、Ｓ００５〜Ｓ００７の一連の処理を設定パラメータ情報のうちの選択肢以外の全情報について実施する（Ｓ００８）。
尚、設定パラメータ情報における選択肢情報と選択肢以外の情報との区別は、ＯＮ／ＯＦＦ状態を選択するもの（いわゆるチェックボックス形式）や複数の項目から１つを選ぶもの（いわゆるオプションボタン形式や、ページ指定、タブ選択など）は選択肢情報とし、それ以外のもの（座標、日付など）は選択肢以外の情報とした。
【００１２】
図４は、パラメータ解析手段３によるパラメータ解析結果の作成例を示す。
実施操作情報および設定パラメータ情報（Ｅ１０１）のうち、選択肢の情報については、”状態ＯＮの選択肢の画面ＩＤ”情報が２つあり（Ｅ１０１ａ）、いずれもパラメータ解析条件データ４のうちの操作毎の選択肢情報（Ｅ１０３）の内容と一致しているので（Ｅ１０３ａ，Ｅ１０３ｂ）、各々の操作名と選択肢Ｎｏを対をパラメータ解析結果格納バッファ５の選択肢情報（Ｅ１０５）として格納している（図２のＳ００２，Ｓ００３）。
実施操作情報および設定パラメータ情報（Ｅ１０１）のうち、選択肢以外の情報は１つだが、操作実施時の炉心状態（Ｅ１０２）においてパラメータ解析条件データ４のうちのパラメータパターン情報（Ｅ１０４）の判定条件を満たすものが２パターンあるので（Ｅ１０２ａとＥ１０４ａ，Ｅ１０２ｂとＥ１０４ｂ）、各々のパラメータパターン名を設定パラメータ情報自身に加えてパラメータ解析結果格納バッファ５のパラメータパターン情報（Ｅ１０６）として格納している（図２のＳ００５，Ｓ００６）。
【００１３】
図５は、監視分類別操作実績情報記録手段６の処理内容を示す。
まず、監視分類別状態区分条件データ７から共通部のデータ（図６のＤ１）および各監視分類別のデータ（図６のＤ２ａ〜Ｄ２ｎ）を読み込む。次に、監視分類ａ、条件種類１の判定用パラメータ（図６のＤ２ａ−３）の操作実施時の値を炉心パラメータ値データ９、直前操作情報１０、内部時計データ１１から取り込み（Ｓ１０２）、その値が条件種類１の各区分の条件（図６のＤ２ａ−５ａ〜Ｄ２ａ−５ｎ）のどの区分に該当するかを求める（Ｓ１０３）。引き続き、Ｓ１０２、Ｓ１０３の処理を条件種類数（図６のＤ２ａ−２）分繰り返す（Ｓ１０４）。
その後、実施操作／設定パラメータ情報格納バッファ２の実施操作情報と、パラメータ解析結果格納バッファ５のパラメータパターン情報について、その各々と全ての条件種類の区分をキーとして監視分類別操作実績情報８の監視分類１の情報から一致するものを検索する（Ｓ１０５）。この結果、一致するものがあるかどうかを判定し（Ｓ１０６）、一致するものが存在する場合は、一致した箇所の操作の実施頻度またはパラメータパターンの設定頻度に１を加算するとともに、選択肢の選択頻度を必要に応じて１加算する（Ｓ１０７）。一致するものが存在しない場合には、実施操作情報、選択肢の選択頻度、パラメータパターン情報を全ての条件種類の区分とともに新規データとして登録する（Ｓ１０８）。引き続き、Ｓ１０５〜Ｓ１０８の処理を実施操作情報およびパラメータパターン情報の数だけ繰り返す（Ｓ１０９）。さらに、この一連の処理Ｓ１０２〜Ｓ１０９を監視分類数（図６のＤ１−１）分繰り返す（Ｓ１１０）。
【００１４】
図７は、監視分類別操作実績情報記録手段６によって記録される監視分類別操作実績情報８の内容を示す。任意の監視分類別操作実績情報８ｉには、操作実績情報（Ｅ２０１）とパラメータ設定実績情報（Ｅ２０２）がある。操作実績情報（Ｅ２０１）は、操作名、条件種類別の区分、操作の実施頻度および選択肢毎の選択頻度で構成され、操作名と条件種類別の区分の組合せがユニークになるようにデータが格納される。パラメータ設定実績情報（Ｅ２０２）は、操作名、条件種類別の区分およびパラメータパターンの設定頻度で構成され、操作名と条件種類別の区分の組合せがユニークになるようにデータが格納される。
【００１５】
図８は、監視分類別操作実績情報記録手段６による監視分類別操作実績情報８の作成例を示す。
図８のケース１は、実施操作情報（Ｅ３０１）に対して実施前の内容（Ｅ３０２）に一致するパターンがあるケースであり、この場合、該当個所の実施頻度が１加算される（Ｅ３０３）。一方、図８のケース２は、実施操作情報（Ｅ３０１）に対して実施前の内容（Ｅ３０４）に一致するパターンがないケースであり、この場合、データが新規パターンとして登録される（Ｅ３０５）。
【００１６】
図９は、監視分類別操作実績情報抽出手段１２の処理内容を示す。
処理Ｓ２０１〜Ｓ２０４は、各々図５のＳ００１〜Ｓ１０４と同様である。その後、条件種類全ての区分をキーにして監視分類別操作実績情報８の監視分類１の情報から一致するパターン全てについて、操作名およびパラメータパターン名と、各々の操作の実施頻度および選択肢の選択頻度あるいはパラメータパターンの設定頻度を抽出する（Ｓ２０５）。操作情報あるいはパラメータパターン情報を検索キーに含めていない点が図５のＳ１０５と異なる点であり、この検索によって操作実施時の該当区分に対応する全操作の実績情報が抽出されることになる。
続いて、監視分類別状態区分条件データ７より監視分類１の監視分類別重み付け係数（図６のＤ２ａ−１）および条件種類毎の操作実施時の該当区分に対する重み付け係数（図６のＤ２ａ−６ａ〜ｎ）を読み込む（Ｓ２０６）。そして、処理Ｓ２０５で抽出した操作の実施頻度、パラメータパターンの設定頻度に対して以下の式で重要度を計算する（Ｓ２０７）。
0003731059.tif 000002
また、処理Ｓ２０５で抽出した操作の実施頻度および選択肢の選択頻度を用いて、以下の式により選択肢の相対選択頻度を計算する（Ｓ２０８）。
選択肢の相対選択頻度←選択肢の選択頻度／操作の実施頻度
引き続き、Ｓ２０７、Ｓ２０８の処理を処理Ｓ２０５で抽出した操作名およびパラメータパターン名の数だけ繰り返す（Ｓ２０９）。さらに、この一連の処理Ｓ２０２〜Ｓ２０９を監視分類数（図６のＤ１−１）分繰り返す（Ｓ２１０）。
【００１７】
図１０は、監視分類別操作実績情報抽出手段１２による重要度データおよび選択肢の相対選択頻度データの作成例を示す。
重要度データの作成では、まず初めに、任意の監視分類ｉの操作実績情報（Ｅ４０１）から操作実施時の状態（Ｅ４０２）と一致する操作名と実施頻度を抽出する（Ｅ４０３）（図９のＳ２０５）。次に、抽出した操作毎に実施頻度×重み付け係数（Ｅ４０５）を実施し、重要度を算出する（Ｅ４０７）（図９のＳ２０７）。尚、重み付け係数（Ｅ４０５）は、監視分類別状態区分データ７から操作実施時の状態（Ｅ４０２）と一致する重み付け係数を読み込み（Ｅ４０６）（図９のＳ２０６）、その積をとったものである（Ｅ４０５）。
選択肢の相対選択頻度データの作成では、まず初めに、任意の監視分類ｉの操作実績情報（Ｅ４０１）から操作実施時の状態（Ｅ４０２）と一致する操作について、その操作の実施頻度と各選択肢の選択頻度を抽出する（Ｅ４０４）。次に、抽出した選択肢毎に選択頻度／操作実施頻度を実施し、選択肢毎の相対選択頻度を算出する（Ｅ４０８）（図９のＳ２０８）。
【００１８】
監視分類別操作実績情報抽出手段１２によって作成された重要度データおよび選択肢の相対選択頻度データは、一旦操作実績抽出結果バッファ１３に格納され、次操作候補情報編集手段１４あるいはパラメータ候補リスト編集手段１６あるいはパラメータ自動設定情報編集手段１８によって次操作候補メニューの表示（図１１のＥ５０５）、パラメータ候補リストの表示（図１２のＥ６０６）、パラメータ設定画面のパラメータ自動設定（図１３のＥ７０６，Ｅ７０７）に用いられる。
以降、図１１〜図１３により、各々の処理の具体例を示す。
【００１９】
図１１は、次操作候補メニューの表示処理例を示す。操作実績抽出結果バッファ１３に格納されている監視分類別の重要度をＥ５０１ｉ、Ｅ５０１ｊ、Ｅ５０１ｋとした場合、監視分類毎の重要度を操作別に集計した操作別の重要度は、次操作候補情報バッファ１５にＥ５０２のように格納される。これを重要度の大きいものから順に並び替えた結果をメニュー画面（Ｅ５０３）の従来の操作メニュー（固定。Ｅ５０４）に加えて設けられた次操作候補メニュー（Ｅ５０５）のところに表示する。従って、次操作候補メニューの上位の操作ほど操作実施時点で操作の重要度、すなわち必要性が高いものとなっている。また、この次操作候補メニュー上の任意の操作名を選択することによって当該操作の要求が可能である。
尚、次操作候補メニューの並び替えに用いる重要度は、操作実施時の状態と過去の操作実績および複数の監視分類毎の重要性を考慮した内容となっているので、次操作候補メニュー（Ｅ５０５）も、操作実施時点の状態に即した内容となる。
【００２０】
図１２は、パラメータ候補リストの表示処理例を示す。操作実績抽出結果バッファ１３に格納されている監視分類別の重要度をＥ６０１ｉ、Ｅ６０１ｊ、Ｅ６０１ｋとした場合、監視分類毎の重要度をパラメータパターン別に集計したパラメータパターン別の重要度は、パラメータ候補リストバッファ１７にＥ６０２のように格納される。パラメータ設定画面（Ｅ６０３）で「候補リスト表示」要求（Ｅ６０５）があった時点において、パラメータパターン別の重要度を大きいものから順に並び替えた結果をパラメータ候補リスト画面（Ｅ６０６）のパラメータ候補リスト（Ｅ６０７）のところに表示する。従って、パラメータ候補リストの上位のパラメータパターンほど操作実施時点で設定の重要度、かなわち必要性が高いものとなっている。
また、このパラメータ候補リスト上の任意のパラメータパターン名を選択することによってパラメータ設定画面（Ｅ６０３）の所定のパラメータ設定エリア（Ｅ６０４）に選択したパラメータパターンが設定される。パラメータ候補リスト（Ｅ６０７）のパラメータパターンにさらに選択肢がある場合には、その内容がパラメータ候補サブリスト（Ｅ６０８）に表示されるので、そのリスト上のパラメータパターン名を選択することによってパラメータ設定画面（Ｅ６０３）の所定のパラメータ設定エリア（Ｅ６０４）に選択したパラメータパターンが設定される。
尚、パラメータ候補リストの並び替えに用いる重要度は、操作実施時の状態と過去の操作実績および複数の監視分類毎の重要性を考慮した内容となっているので、パラメータ候補リスト（Ｅ６０６〜Ｅ６０８）も、操作実施時点の状態に即した内容となる。
【００２１】
図１３は、パラメータ設定画面のパラメータ自動設定処理例を示す。操作実績抽出結果バッファ１３に格納されている監視分類別の重要度をＥ７０１ｉ、Ｅ７０１ｊ、Ｅ７０１ｋとし、各監視分類のうち操作Ａの選択肢の相対選択頻度をＥ７０２ｉ、Ｅ７０２ｊ、Ｅ７０２ｋとした場合、監視分類毎の選択肢の相対選択頻度を集計／編集した操作別の選択肢毎の重要度は、パラメータ自動設定データバッファ１９にＥ７０４のように格納される。操作別の選択肢毎の重要度算出方法およびパラメータ自動設定の判定基準は、パラメータ解析条件データ４の操作毎の選択肢情報（Ｅ７０３）の中の選択肢種別によって異っている。
選択肢種別が”択一”の場合、選択肢毎の重要度は以下の式で計算する。
0003731059.tif 000003
また、”択一”方式は、いわゆるオプションボタン等の方式であり、パラメータ自動設定においては、同一グループ内でもっとも重要度の大きいものをＯＮに、その他はＯＦＦにする。図１３の例では、同一グループの選択肢（１）〜（５）のうち、選択肢（２）の重要度が最も大きいので（Ｅ７０４）、パラメータ設定画面（Ｅ７０５）の表示は、Ｅ７０６のようになる。
選択肢種別が”ＯＮ／ＯＦＦ”の場合、選択肢毎の重要度は以下の式で計算する。
0003731059.tif 000004
”ＯＮ／ＯＦＦ”方式は、いわゆるチェックボックス方式であり、選択肢毎にＯＮ／ＯＦＦの判断が必要になるため、”監視分類毎の重要度の合計値”に対する比を重要度とし、パラメータ自動設定においては、重要度が０．５以上ならばＯＮに、０．５未満ならばＯＦＦにする。図１３の例では、選択肢（４）の重要度は０．５未満、選択肢（５）の重要度は０．５以上なので、パラメータ設定画面（Ｅ７０５）の表示は、Ｅ７０７のようになる。
尚、パラメータ設定画面のパラメータ自動設定に用いる重要度は、操作実施時の状態と過去の操作実績および複数の監視分類毎の重要性を考慮した内容となっているので、パラメータ設定画面のパラメータ自動設定の内容も、操作実施時点の状態に即した内容となる。
【００２２】
【発明の効果】
以上説明したように、本発明によれば、任意の操作が実施される度に、実施操作の実績情報および設定パラメータ実績情報を炉心状態や操作時間帯、前回操作内容等を考慮した複数の監視分類毎の複数の状態区分毎に分類して記録するようにし、さらに監視分類および状態区分毎に重み付け係数を持たせるようにしたため、炉心状態や操作時間帯、前回操作内容等により監視対象項目が切り替わり、実行すべき操作が変わるケースに対応した情報提供ができる。具体的には、炉心状態や操作時間帯、前回操作内容等の条件と、各々の重要度および過去の実績とを踏まえた次に実行すべき操作を重要度に応じて並び替えて表示する次操作候補メニューを作成することができる。
また、同様に、炉心状態や操作時間帯、前回操作内容等の条件と各々の重要度および過去の実績とを踏まえた次に設定すべきパラメータを重要度に応じて並び替えて表示するパラメータ候補リストを作成することができる。
また、同様に、炉心状態や操作時間帯、前回操作内容等の条件と各々の重要度および過去の実績とを踏まえたパラメータを自動設定することができる。
また、これらの次操作候補メニューの表示、パラメータ候補リストの表示およびパラメータの自動設定によって、実施すべき操作が明確となり、操作漏れの抑制、オペレーションエラーの抑制およびオペレータの負担軽減、オペレーション時間の短縮を図ることができる。
また、パラメータの設定において、例えば座標設定における”炉心最大線出力密度の発生座標”すなわち、”炉心内で最大の線出力密度が発生している座標”のような間接的な表現による指定を可能としたため、パラメータ候補リストの表示内容の充実に加え、操作漏れの抑制、オペレーションエラーの抑制およびオペレータの負担軽減、オペレーション時間の短縮を図ることができる。
【図面の簡単な説明】
【図１】本発明の一実施形態を示す原子炉炉心性能監視装置の処理構成図
【図２】本発明のパラメータ解析手段の処理内容を説明するためのフローチャート
【図３】本発明のパラメータ解析を行うためのパラメータ解析条件データの構成説明図
【図４】本発明のパラメータ解析手段の処理内容を説明するための作成例
【図５】本発明の監視分類別操作実績情報記録手段の処理内容を説明するためのフローチャート
【図６】本発明の監視分類別操作実績情報の記録あるいは抽出を行うための監視分類別状態区分条件データの構成説明図
【図７】本発明の監視分類別操作実績情報の構成説明図
【図８】本発明の監視分類別操作実績情報記録手段の処理内容を説明するための作成例
【図９】本発明の監視分類別操作実績情報抽出手段の処理内容を説明するためのフローチャート
【図１０】本発明の監視分類別操作実績情報抽出手段の処理内容を説明するための作成例
【図１１】本発明の次操作候補メニューの表示処理内容を説明するための作成例
【図１２】本発明のパラメータ候補リストの表示処理内容を説明するための作成例
【図１３】本発明のパラメータ設定画面のパラメータ自動設定処理内容を説明するための作成例
【符号の説明】
１…入力装置（キーボード、マウス）、２…実施操作／設定パラメータ情報格納バッファ、３…パラメータ解析手段、４…パラメータ解析条件データ、５…パラメータ解析結果格納バッファ、６…監視分類別操作実績情報記録手段、７…監視分類別状態区分条件データ、８…監視分類別操作実績情報、９…炉心パラメータ値データ、１０…直前操作情報、１１…内部時計データ、１２…監視分類別操作実績情報抽出手段、１３…操作実績抽出結果バッファ、１４…次操作候補情報編集手段、１５…次操作候補情報バッファ、１６…パラメータ候補リスト編集手段、１７…パラメータ候補リストバッファ、１８…パラメータ自動設定情報編集手段、１９…パラメータ自動設定データバッファ、２０…表示手段、２１…モニタ
【図１】
0003731059.tif 000005
【図２】
0003731059.tif 000006
【図３】
0003731059.tif 000007
【図４】
0003731059.tif 000008
【図５】
0003731059.tif 000009
【図６】
0003731059.tif 000010
【図７】
0003731059.tif 000011
【図８】
0003731059.tif 000012
【図９】
0003731059.tif 000013
【図１０】
0003731059.tif 000014
【図１１】
0003731059.tif 000015
【図１２】
0003731059.tif 000016
【図１３】
0003731059.tif 000017